【手続補正書】
【提出日】平成22年9月6日(2010.9.6)
【手続補正１】
【補正対象書類名】特許請求の範囲
【補正対象項目名】全文
【補正方法】変更
【補正の内容】
【特許請求の範囲】
【請求項１】
基板と、前記基板の上に配置された複数の有機発光素子と、を有し、
前記複数の有機発光素子は、第１発光色を発する第１有機発光素子と、第１発光色とは異なる第２発光色を発する第２有機発光素子と、を有し、
各有機発光素子は、反射層と透明導電層とを有する第１電極と、発光層を含む有機化合物層と、光取り出し電極である第２電極と、を有する有機発光装置において、
前記第１有機発光素子における前記反射層は、前記基板と前記透明導電層との間にあり、
前記第２有機発光素子における前記反射層は、前記透明導電層と前記有機化合物層との間にあり、
前記第１有機発光素子における前記透明導電層の厚みは、前記第２有機発光素子における前記透明導電層の厚みと同一であることを特徴とする有機発光装置。
【請求項２】
前記複数の有機発光素子は、前記第１発光色及び前記第２発光色とは異なる第３発光色を発する第３有機発光素子を有し、
各有機発光素子における前記第１電極は、第２透明導電層を前記透明導電層の光取り出し側に有し、
前記第１有機発光素子における前記反射層は、前記基板と前記透明導電層との間にあり、
前記第２有機発光素子における前記反射層は、前記透明導電層と前記第２透明導電層との間にあり、
前記第３有機発光素子における前記反射層は、前記第２透明導電層と前記有機化合物層との間にあることを特徴とする請求項１に記載の有機発光装置。
【請求項３】
各有機発光素子における前記第２透明導電層の厚みは、同一であることを特徴とする請求項２に記載の有機発光装置。
【請求項４】
各有機発光素子における前記第１電極は、第３透明導電層を前記透明導電層の光取り出し側に有し、
前記第１有機発光素子における前記反射層は、前記基板と前記透明導電層との間にあり、
前記第２有機発光素子における前記反射層は、前記透明導電層と前記第３透明導電層との間にあることを特徴とする請求項１に記載の有機発光装置。
【請求項５】
各有機発光素子における前記第１電極は、第３透明導電層を前記透明導電層の光取り出し側に有し、
前記第１有機発光素子における前記反射層は、前記基板と前記透明導電層との間にあり、
前記第２有機発光素子における前記反射層は、前記透明導電層と前記第２透明導電層との間にあり、
前記第３有機発光素子における前記反射層は、前記第２透明導電層と前記第３透明導電層との間にあることを特徴とする請求項２または請求項３に記載の有機発光装置。
【請求項６】
各有機発光素子における前記第３透明導電層の厚みは、同一であることを特徴とする請求項４または請求項５に記載の有機発光装置。
【請求項７】
各有機発光素子における前記発光層と前記反射層との間の光学距離が、各有機発光素子における前記発光層の発光スペクトルの中心波長を強める光学距離であることを特徴とする請求項１乃至請求項６のいずれか１項に記載の有機発光装置。
【請求項８】
各有機発光素子における前記第２電極は、半透明反射層を有し、
各有機発光素子における前記反射層と前記半透明反射層との間の光学距離が、各有機発光素子における前記発光層の発光スペクトルの中心波長を強める光学距離であることを特徴とする請求項１乃至請求項７のいずれか１項に記載の有機発光装置。
【請求項９】
前記有機化合物層は、電荷の注入及び輸送をする有機機能層を有し、
前記有機機能層は、前記第１有機発光素子と前記第２有機発光素子に素子間を跨いで形成されている共通の層であることを特徴とする請求項１乃至請求項８のいずれか１項に記載の有機発光装置。
【請求項１０】
基板と、前記基板の上に配置された複数の有機発光素子と、を有し、
前記複数の有機発光素子は、第１発光色を発する第１有機発光素子と、第１発光色とは異なる第２発光色を発する第２有機発光素子と、を有し、
各有機発光素子は、前記基板の上に、反射層と透明導電層とを有する第１電極と、発光層を含む有機化合物層と、光取り出し電極である第２電極と、を有する有機発光装置の製造方法において、
基板の上に反射層と透明導電層とを有する第１電極を形成する工程と、
前記第１電極の上に発光層を含む有機化合物層を形成する工程と、
前記有機化合物層の上に第２電極を形成する工程と、を有し、
前記第１電極を形成する工程は、
前記第１有機発光素子領域に反射層を形成する工程と、
前記第１有機発光素子及び第２有機発光素子領域に素子間を跨いで前記透明導電層を形成する工程と、
前記第２有機発光素子領域に反射層を形成する工程と、
前記素子間に形成された前記透明導電層を除去する工程と、
を順に有することを特徴とする有機発光装置の製造方法。
【請求項１１】
基板と、前記基板の上に配置された複数の有機発光素子と、を有し、
前記複数の有機発光素子は、第１発光色を発する第１有機発光素子と、第１発光色とは異なる第２発光色を発する第２有機発光素子と、第１及び第２発光色とは異なる第３発光色を発する第３有機発光素子を有し、
各有機発光素子は、前記基板の上に、反射層と第１透明導電層と第２透明導電層を有する第１電極と、発光層を含む有機化合物層と、光取り出し電極である第２電極と、を有する有機発光装置の製造方法において、
基板の上に反射層と第１透明導電層と第２透明導電層を有する第１電極を形成する工程と、
前記第１電極の上に発光層を含む有機化合物層を形成する工程と、
前記有機化合物層の上に第２電極を形成する工程と、を有し、
前記第１電極を形成する工程は、
前記第１有機発光素子領域に反射層を形成する工程と、
前記第１有機発光素子乃至第３有機発光素子領域に素子間を跨いで前記第１透明導電層を形成する工程と、
前記第２有機発光素子領域に反射層を形成する工程と、
前記第１有機発光素子乃至第３有機発光素子領域に素子間を跨いで前記第２透明導電層を形成する工程と、
前記第３有機発光素子領域に反射層を形成する工程と、
前記素子間に形成された前記第１透明導電層及び第２透明導電層を除去する工程と、
を順に有することを特徴とする有機発光装置の製造方法。
【手続補正２】
【補正対象書類名】明細書
【補正対象項目名】００２６
【補正方法】変更
【補正の内容】
【００２６】
本発明に係る有機発光装置は、
基板と、前記基板の上に配置された複数の有機発光素子と、を有し、
前記複数の有機発光素子は、第１発光色を発する第１有機発光素子と、第１発光色とは異なる第２発光色を発する第２有機発光素子と、を有し、
各有機発光素子は、反射層と透明導電層とを有する第１電極と、発光層を含む有機化合物層と、光取り出し電極である第２電極と、を有する有機発光装置において、
前記第１有機発光素子における前記反射層は、前記基板と前記透明導電層との間にあり、
前記第２有機発光素子における前記反射層は、前記透明導電層と前記有機化合物層との間にあり、
前記第１有機発光素子における前記透明導電層の厚みは、前記第２有機発光素子における前記透明導電層の厚みと同一であることを特徴とする。
【手続補正３】
【補正対象書類名】明細書
【補正対象項目名】００２７
【補正方法】変更
【補正の内容】
【００２７】
また、本発明に係る有機発光装置の製造方法は、
基板と、前記基板の上に配置された複数の有機発光素子と、を有し、
前記複数の有機発光素子は、第１発光色を発する第１有機発光素子と、第１発光色とは異なる第２発光色を発する第２有機発光素子と、を有し、
各有機発光素子は、前記基板の上に、反射層と透明導電層とを有する第１電極と、発光層を含む有機化合物層と、光取り出し電極である第２電極と、を有する有機発光装置の製造方法において、
基板の上に反射層と透明導電層とを有する第１電極を形成する工程と、
前記第１電極の上に発光層を含む有機化合物層を形成する工程と、
前記有機化合物層の上に第２電極を形成する工程と、を有し、
前記第１電極を形成する工程は、
前記第１有機発光素子領域に反射層を形成する工程と、
前記第１有機発光素子及び第２有機発光素子領域に素子間を跨いで前記透明導電層を形成する工程と、
前記第２有機発光素子領域に反射層を形成する工程と、
前記素子間に形成された前記透明導電層を除去する工程と、
を順に有することを特徴とする。
【手続補正４】
【補正対象書類名】明細書
【補正対象項目名】００２８
【補正方法】変更
【補正の内容】
【００２８】
また、本発明に係る有機発光装置の他の製造方法は、
基板と、前記基板の上に配置された複数の有機発光素子と、を有し、
前記複数の有機発光素子は、第１発光色を発する第１有機発光素子と、第１発光色とは異なる第２発光色を発する第２有機発光素子と、第１及び第２発光色とは異なる第３発光色を発する第３有機発光素子を有し、
各有機発光素子は、前記基板の上に、反射層と第１透明導電層と第２透明導電層を有する第１電極と、発光層を含む有機化合物層と、光取り出し電極である第２電極と、を有する有機発光装置の製造方法において、
基板の上に反射層と第１透明導電層と第２透明導電層を有する第１電極を形成する工程と、
前記第１電極の上に発光層を含む有機化合物層を形成する工程と、
前記有機化合物層の上に第２電極を形成する工程と、を有し、
前記第１電極を形成する工程は、
前記第１有機発光素子領域に反射層を形成する工程と、
前記第１有機発光素子乃至第３有機発光素子領域に素子間を跨いで前記第１透明導電層を形成する工程と、
前記第２有機発光素子領域に反射層を形成する工程と、
前記第１有機発光素子乃至第３有機発光素子領域に素子間を跨いで前記第２透明導電層を形成する工程と、
前記第３有機発光素子領域に反射層を形成する工程と、
前記素子間に形成された前記第１透明導電層及び第２透明導電層を除去する工程と、
を順に有することを特徴とする。